(57)【特許請求の範囲】
【請求項１】
電子機器が水に濡れた事を検出する水検出手段と、水深計測モードにおいて水深データを計測する水深計測手段とを有する水深計測機能付電子機器において、高度計測モードにおいて高度データを検出する高度計測手段と、前記水深計測モードでは前記水深データを、また前記高度計測モードでは前記高度データを選択する表示切換え手段と、前記表示切換え手段の出力に基づき水深データ又は高度データを表示する表示手段と、前記各モードを切換えるモード切換え手段と、前記高度計測モードでは前記水検出手段を不動作状態とする水検出制御手段とを有する事を特徴とする水深計測機能付電子機器。
【請求項２】
時刻を計時し時刻データを出力する計時機能手段を有し、前記表示切換え手段は計時モードにおいて前記時刻データを選択する事を特徴とする請求項１記載の水深計測機能付電子機器。
【請求項３】
前記計時モードにおいて前記水検出手段が水濡れを検出すると前記表示切換え手段は時刻データを選択したまま前記水深計測手段が動作を開始する水深計測準備モードになる事を特徴とする請求項２記載の水深計測機能付電子機器。
【請求項４】
前記水深計測準備モードから前記高度計測モードへ移行させるスイッチ操作に基づき警告報知を行う警告手段を設けた事を特徴とする請求項３記載の水深計測機能付電子機器。
【請求項５】
前記水深計測準備モードにおいて前記水深計測手段が所定の水深値を検出すると前記水深計測モードになる事を特徴とする請求項３記載の水深計測機能付電子機器。
【発明の詳細な説明】
【０００１】
【発明の属する技術分野】
本発明は水濡れを検出する水検出手段を備えた水深計測機能付電子機器に関し、特に高度を計測する高度計測機能をあわせ持った電子機器に関する。
【０００２】
【従来の技術】
従来より水濡れを検出する水検出手段を備え、ダイバーが水に潜ると自動的に水深計測モードに移行する水深計測機能付電子機器が知られている。当出願人もＷＯ９４／２０８８６号において水に濡れても表示は時刻表示のまま水深計測機能を動作させる水深計測準備モードを備えた同機器を開示している。
【０００３】
【発明が解決しようとする課題】
しかしながら上記の様な水深計測機能付電子機器において従来から良く知られている高度計測機能をあわせ持った機器はまだ開示されていない。このような電子機器を考える場合、ただ単に高度計測機能を付加すると高度計測モード時に機器が雨などにより水濡れした場合水深計測機能が動作を開始してしまい無駄な電力を消費してしまう事になる。
本発明は上記課題を解決しようとするもので、高度計測モード時は水深計測機能が動作しない電子機器を提供することを目的とする。
【０００４】
【課題を解決するための手段】
上記目的を達成するための本発明は、
電子機器が水に濡れた事を検出する水検出手段と、水深計測モードにおいて水深データを計測する水深計測手段とを有する水深計測機能付電子機器において、高度計測モードにおいて高度データを検出する高度計測手段と、前記水深計測モードでは前記水深データを、また前記高度計測モードでは前記高度データを選択する表示切換え手段と、前記表示切換え手段の出力に基づき水深データ又は高度データを表示する表示手段と、前記各モードを切換えるモード切換え手段と、前記高度計測モードでは前記水検出手段を不動作状態とする水検出制御手段とを有する事を特徴とする。
また時刻を計時し時刻データを出力する計時機能手段を有し、前記表示切換え手段は計時モードにおいて前記時刻データを選択する事を特徴とする。
また前記計時モードにおいて前記水検出手段が水濡れを検出すると前記表示切換え手段は時刻データを選択したまま前記水深計測手段が動作を開始する水深計測準備モードになる事を特徴とする。
また前記水深計測準備モードから前記高度計測モードへ移行させるスイッチ操作に基づき警告報知を行う警告手段を設けた事を特徴とする。
また前記水深計測準備モードにおいて前記水深計測手段が所定の水深値を検出すると前記水深計測モードになる事を特徴とする。
【０００５】
【発明の実施の形態】
以下図を用いて本発明に係る水深計測機能付電子機器の実施形態を電子時計を例にとり説明する。
図１は本実施形態のシステムブロック図であり、図２は図１に示すスイッチ入力手段とモード切換え手段の詳細を示したシステムブロック図である。
【０００６】
図１においてスイッチ入力手段１は使用者の操作等によりスイッチ信号を出力する。モード切換え手段２はスイッチ入力手段１や後述する水検出手段３の出力に基づき電子時計のモードを切換える。計時機能手段４は後述する発振回路１１、分周回路１２の信号により時刻を計時する。高度計測手段５は内部に圧力センサ（図示せず）等を有し、高度を計測する。水深計測手段６は内部に圧力センサ（図示せず）等を有し、水深を計測する。表示切換え手段７は計時機能手段４からの計時信号、高度測定手段５からの高度信号、水深計測手段６からの水深信号をモード切換え手段２からの信号に基づき切換え出力する。表示手段８は表示切換え手段７から出力される信号に基づき時刻や高度、水深等を表示する。警告手段９はモード切換え手段２からの信号に基づき警告信号を出力する。電源１０は電子時計の電源である。発振回路１１は水晶（図示せず）を有し基準信号を出力する。分周回路１２は基準信号を分周しさまざまな周波数の信号を作成する。
【０００７】
続いて図２を用いてスイッチ手段１とモード切換え手段２の詳細な構成を説明する。
スイッチ手段１は高度計測モードへ移行するためのスイッチである高度計測モード移行スイッチ１２及びモード切換え手段２に各信号を出力すると共に高度計測モード移行スイッチ１２以外のスイッチ（図示せず）の操作により計時機能手段４の修正信号Ｓｔを出力するスイッチ制御回路１１とにより構成される。計時機能手段４の修正操作に関しては既に広く知られた技術であり本発明と直接関係無いので説明は省略する。スイッチ制御回路１１は後述する各モード信号に基づき異なる信号を出力する。
モード切換え手段２は計時モード２１を選択している時に信号Ｍｔを、水深計測準備モード２２を選択している時に信号Ｍｐを、水深計測モード２３を選択している時に信号Ｍｄを、高度計測モード２４を選択している時に信号Ｍｈをそれぞれ“Ｈ”レベルで出力する。選択されていないモード信号は“Ｌ”レベルとなっている。
【０００８】
次に本実施形態の動作を説明するが、まず高度計測モード移行スイッチ１２の操作によるスイッチ制御回路１１の出力と各モード信号の関係を以下に明示しておく。
【０００９】
Ｍｔが“Ｈ”の時、Ｓｔｈが出力。
Ｍｈが“Ｈ”の時、Ｓｈｔが出力。
Ｍｐが“Ｈ”の時、Ｓｐｈが出力。
【００１０】
初期状態ではモード切換え手段２は計時モード２１を選択しており計時モード信号Ｍｈを“Ｈ”レベルで出力する。そのため表示切換え手段７は計時機能手段４から出力される時刻データを選択し、表示手段８では時刻を表示する。ここで高度モード移行スイッチ１２を操作するとスイッチ制御回路１１は信号Ｓｔｈを出力する。そのためモード切換え手段２は計時モード２１から高度計測モード２４に切り換わる。よって計時モード信号Ｍｔは“Ｌ”レベルとなり、高度計測モード信号Ｍｈが“Ｈ”レベルとなる。高度計測手段５は“Ｈ”レベルの高度計測モード信号Ｍｈを受け動作を開始し、高度データを出力する。また表示切換え手段７も高度計測モード信号Ｍｈに基づき出力を高度データに切換える。よって表示手段８は高度計測データを表示する。
【００１１】
ここで再び高度モード移行スイッチ１２を操作すると、スイッチ制御回路１１は高度計測モード信号Ｍｈを入力しているため信号Ｓｔｈを出力する。よってモード切換え手段２は再び計時モード２１を選択し、高度計測機能手段５の動作は停止し、表示手段８の表示も時刻に切り換わる。
【００１２】
計時モード２１において使用者が潜水を開始し、電子時計が水に濡れると水検出手段３が“Ｈ”レベルの信号を出力する。よって水深計測準備モード２２が選択され水深計測準備モード信号Ｍｐが“Ｈ”レベルで出力される。そのため水深計測手段６が動作を開始し、水深データが出力される。しかし水深計測準備モード信号Ｍｐは表示切換え手段７には出力されないため表示手段８の表示は時刻のままである。
【００１３】
ここで水深計測手段６が所定の水深以下の水深値を検出すると深い水深信号Ｓｄを出力する。よってモード切換え手段２は水深計測モード２３を選択し水深計測モード信号Ｍｄが“Ｈ”レベルとなる。表示切換え手段７はこの信号Ｍｄを受け水深データを選択し、表示手段８には水深データが表示される。
【００１４】
潜水が終了し携帯者が水面付近に上がってくると、水深計測手段６は深い水深信号Ｓｄの出力を停止する。よってモード切換え手段２は再び水深計測準備モード２２を選択する。そして携帯者が水検出手段３に付着した水を拭き取るか、自然に乾燥すると、水検出手段３の出力は“Ｌ”レベルに切り換わりモード切換え手段２は計時モード２１を選択する。
【００１５】
続いて水深計測準備モード２２における高度計測モード移行スイッチ１２の操作を説明する。水深計測準備モード２２の選択状態において高度計測モード移行スイッチ１２を操作すると、スイッチ制御回路１１は信号Ｓｐｈを出力する。よって高度計測モード２４が選択されるが、この時この信号Ｓｐｈにより警告手段９が動作する。警告手段９は表示手段８に警告信号を出力し表示手段８はその表示形態を変える事（例えばフラッシング）により携帯者に警告表示を行う。
これは潜水動作終了直後に即気圧の低い場所へ移動する動作を警告するためのシステムである。
【００１６】
【発明の効果】
上記のごとく本発明によれば、計時モードの時のみ水検出スイッチの水検出を受け付け、高度計測モードでは例え水検出スイッチが水に濡れても水深計測手段は動作しない。よって不必要な電力消費を防止できる。
【図面の簡単な説明】
【図１】本発明の全体のシステムを示す回路ブロック図である。
【図２】本発明の主要部の詳細を示す回路ブロック図である。
【符号の説明】
１  スイッチ手段
２  モード切換え手段
３  水検出手段
４  計時機能手段
５  高度計測手段
６  水深計測手段
７  表示切換え手段
８  表示手段
９  警告手段
【図１】
0004294787.tif 000002
【図２】
0004294787.tif 000003